【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
船舶の漂流を制御するために、前記船舶上に取り付け可能な可変ジオメトリシーアンカーであって、
前記船舶の甲板部分に取り付け可能な支持構造体と、
前記支持構造体に調整可能に取り付けられたマスト支持アセンブリと、
前記マスト支持アセンブリに動作可能に相互に連結されたマストアセンブリと、
前記支持構造体に取り付けられ、かつ前記マスト支持アセンブリに動作可能に連結されて、前記マストアセンブリの支持フレームの向きを選択的に制御する、少なくとも第１のアクチュエータと、を備え、
前記マストアセンブリは、
前記マスト支持アセンブリによって、保管定位と動作定位との間の第１の平面、および保管ジオメトリと漂流制御ジオメトリとの間の第２の平面において、実質的に同時に調整可能な前記支持フレームと、
前記支持フレームによって取り付けられたウェブシートであって、前記漂流制御ジオメトリにおいて効果的な漂流制御を提供するように、前記支持フレームによって移動可能であるウェブシートと、を備え、
漂流制御動作状態では、前記少なくとも第１のアクチュエータが前記マスト支持アセンブリに作用して、前記支持フレームの向きを前記保管定位と前記動作定位との間の前記第１の平面内で変化させ、かつ前記支持フレームが前記第２の平面内でジオメトリを変化させて、前記支持フレームとウェブシートとの組み合わせが前記船舶の漂流を制御するのに有効な動作構成を採用するようにする、可変ジオメトリシーアンカー。
【請求項２】
前記マストアセンブリの向きおよびジオメトリが前記マスト支持アセンブリによって制御可能であり、索具がねじれ及び再展開に時間を要する欠点を最小限に抑える、請求項１に記載の可変ジオメトリシーアンカー。
【請求項３】
前記支持フレームが、前記マスト支持アセンブリに取り付けられて前記マスト支持アセンブリによって移動自在に調整可能である一対のアームを備え、前記一対のアームは、保管定位において、水面から上方または垂直位置にユニット構造を形成する、請求項１に記載の可変ジオメトリアンカー。
【請求項４】
前記支持フレームの一対のアームは、動作制御または漂流制御状態において、前記保管定位から水中に下方に向けられ、前記アームは、前記調整可能なマスト支持アセンブリによって分離されて台形形状を形成する、請求項１に記載の可変ジオメトリシーアンカー。
【請求項５】
前記保管定位では、一対のアームが当接してユニットを形成すると、前記ウェブシートは前記一対のアームの間で実質的に折り畳まれて排水を許容する、請求項１に記載の可変ジオメトリシーアンカー。
【請求項６】
動作制御または漂流制御状態では、一対のアームが離れて台形形状を形成すると、前記アームの間に前記ウェブシートが延在し、したがって前記アームの間に漂流を制御するためのウェビングが形成される、請求項１に記載の可変ジオメトリシーアンカー。
【請求項７】
船舶の漂流を制御するために、前記船舶上に取り付け可能な可変ジオメトリシーアンカーであって、
前記船舶の甲板部分に取り付け可能な支持構造体と、
前記支持構造体に調整可能に取り付けられたマスト支持アセンブリと、
マストアセンブリと、
前記支持構造体に取り付けられ、かつ前記マスト支持アセンブリに動作可能に連結され
て、前記マスト支持アセンブリを選択的に制御する、第１のアクチュエータと、を備え、
前記マストアセンブリは、
前記マスト支持アセンブリに取り付けられて前記マスト支持アセンブリによって保管構成及び動作構成の間で移動自在に調整可能である、一対のアームを備える支持フレームと、
前記支持フレームの前記一対のアームによって取り付けられたウェブシートであって、前記アームによって保管状態と動作状態との間で移動可能であるウェブシートと、を備え、
漂流制御動作状態では、少なくとも前記第１のアクチュエータが前記マスト支持アセンブリに作用して、前記支持フレームの向きを保管位置と使用位置との間で変化させ、かつ前記マストアセンブリの前記支持フレームの前記アームが、前記アームによって再形成されるジオメトリを変化させて、前記マストアセンブリの前記ウェブシートが前記船舶の漂流を制御するのに有効な前記アームによる動作構成を採用するようにする、可変ジオメトリシーアンカー。
【請求項８】
前記可変ジオメトリシーアンカーは、前記マストアセンブリに動作可能に連結された第２のアクチュエータをさらに含むことができ、前記第２のアクチュエータは、水中で前記マスト支持アセンブリに対する前記ウェブシートの角度を変化させるように動作して、漂流制御をさらに支援することができる、請求項７に記載の可変ジオメトリシーアンカー。
【請求項９】
前記ウェブシートは、前記アームが動作状態から保管位置に移動するときに前記ウェブシートの折り畳みを助けるために、上縁部に複数の磁石をさらに含む、請求項８に記載の可変ジオメトリシーアンカー。
【請求項１０】
前記支持構造体は、ボートの甲板部分に取り付け可能なベースプレートと、前記ベースプレートに角度を付けて固定された一対のアーム部材と、を備えることができる、請求項９に記載の可変ジオメトリアンカー。
【請求項１１】
前記マスト支持アセンブリは、一端で前記第１のアクチュエータに枢動可能に連結された一連の相互連結ピボットアームと、前記マスト支持アセンブリに取り付けられた固定アーム部材上の転心と、を備えることができる、請求項１０に記載の可変ジオメトリシーアンカー。
【請求項１２】
前記ウェブシートは、厚さが約０．５ｍｍのネオプレン材料から製造されている、請求項７に記載の可変ジオメトリシーアンカー。
【請求項１３】
前記一対のアーム部材は、アルミニウム、炭素繊維またはガラス繊維を含む一連の材料から製造されたポールである、請求項１１に記載の可変ジオメトリシーアンカー。
【請求項１４】
船舶の漂流を制御するために、前記船舶上に取り付け可能な可変ジオメトリシーアンカーであって、
前記船舶の甲板部分に取り付け可能な支持構造体と、
前記支持構造体に調整可能に取り付けられたマスト支持アセンブリと、
マストアセンブリと、
前記支持構造体に取り付けられ、かつ前記マスト支持アセンブリに動作可能に連結されて、前記マスト支持アセンブリを選択的に制御する、少なくとも第１のアクチュエータと、を備え、
前記マストアセンブリは、前記マスト支持アセンブリに取り付けられて前記マスト支持アセンブリによって保管構成と動作構成との間で移動自在に調整可能である、一対のアームを備える支持フレームと、前記支持フレームの前記一対のアームによって取り付けられ
た折り畳み可能な材料と、を備え、
保管状態では、前記アームが当接して前記材料が前記アーム間で折り畳まれ、
第１の選択漂流制御動作状態では、前記少なくとも第１のアクチュエータが前記マスト支持アセンブリに作用して、前記マストアセンブリの向きを保管位置と使用位置との間で変化させ、かつ前記マストアセンブリの前記アームが分離されて、前記マストアセンブリの折り畳み可能な前記材料が前記船舶の漂流を制御するのに有効な前記アームによる構成を採用するようにする、可変ジオメトリアンカー。
【請求項１５】
船舶の漂流を制御するために、前記船舶上に取り付け可能な可変ジオメトリシーアンカーであって、
前記船舶の甲板部分に取り付け可能な支持構造体と、
前記支持構造体に調整可能に取り付けられたマスト支持アセンブリと、
マストアセンブリと、
前記支持構造体に取り付けられ、かつ前記マスト支持アセンブリに動作可能に連結されて、前記マスト支持アセンブリを選択的に制御する、第１のアクチュエータと、
前記マストアセンブリに取り付けられて動作可能に連結された第２のアクチュエータであって、水中における前記マスト支持アセンブリに対するウェブシートの角度を変化させるように動作して、細やかな漂流制御をさらに支援することができる、第２のアクチュエータと、を備え、
前記マストアセンブリは、前記マスト支持アセンブリに取り付けられて前記マスト支持アセンブリによって保管構成と動作構成との間で移動自在に調整可能である、一対のアームを備える支持フレームと、前記支持フレームの前記一対のアームによって取り付けられた前記ウェブシートであって、前記アームによって保管状態と動作状態との間で移動可能であるウェブシートと、を備え、
漂流制御動作状態では、少なくとも前記第１のアクチュエータが前記マスト支持アセンブリに作用して、前記支持フレームの向きを保管位置と使用位置との間で変化させ、かつ前記マストアセンブリの前記支持フレームの前記アームが、前記アームによって再形成されるジオメトリを変化させて、前記マストアセンブリの前記ウェブシートが前記船舶の漂流を制御するのに有効な前記アームによる動作構成を採用するようにする、可変ジオメトリシーアンカー。
【請求項１６】
前記ウェブシートは、前記アームが動作状態から保管位置に移動するときに前記ウェブシートの折り畳みを助けるための、バッフルまたは磁石を含み得る内部パネルを含む、請求項７に記載の可変ジオメトリシーアンカー。
【請求項１７】
船舶の漂流を制御するための可変ジオメトリアンカーであって、
支持構造体と、
前記支持構造体に枢動可能に取り付けられたマスト支持アセンブリであって、一対のマストアームと前記マストアームに取り付けられた折り畳み式又は可撓性構造とを含み、前記マストアームが第１の保管ジオメトリと動作ジオメトリとの間で移動可能である、マスト支持アセンブリと、
前記支持構造体に枢動可能に連結され、かつ前記マストアーム上の固定ピボット取付け部で前記マスト支持アセンブリに動作可能に連結された開閉サブシステムと、を備え、
前記開閉サブシステムは、前記マスト支持アセンブリのジオメトリを制御して、保管定位では、前記開閉サブシステムが前記マストアームを実質的に一緒に閉じることにより、前記折り畳み式または可撓性構造が前記マストアームの間に受容されるようにし、使用状態では、前記開閉サブシステムが前記マストアームを作動的に引き離すことにより、前記マストアームの間で前記折り畳み式または可撓性構造を扇形に広げるようにする、可変ジオメトリアンカー。
【請求項１８】
前記支持構造体に取り付けられ、かつ前記マスト支持アセンブリに動作可能に連結されたフリップフロップサブシステムをさらに含み、前記フリップフロップサブシステムは、前記開閉サブシステムに対する個別または組み合わせの動作で、マスト支持アセンブリの向きを、実質的な直立位置または保管位置から前記船舶の甲板の下方の位置まで変化させるようになっている、請求項１７に記載の船舶の漂流を制御するための可変ジオメトリアンカー。
【請求項１９】
前記開閉サブシステムは、リニアアクチュエータとピボットアームアセンブリとを備え、前記アームの一端がピボット取付け部によって前記マスト支持アセンブリの上脚部に連結され、前記アームの他端がリニアアクチュエータに枢動可能に連結されている、請求項１７に記載の船舶の漂流を制御するための可変ジオメトリアンカー。
【請求項２０】
前記フリップフロップサブシステムは、ピストンを有するリニアアクチュエータであって、一端がベース支持体または甲板に固定的に取り付けられたリニアアクチュエータと、一端で前記ピストンに、他端で固定支持体上のピボット取付け部に枢動可能に取り付けられたスイングアームであって、前記マスト支持アセンブリにさらに動作可能に連結されたスイングアームと、を含み、
前記フリップフロップサブシステムの前記アクチュエータは、前記スイングアームを弧状の経路で反転し、前記マスト支持アセンブリの前記向きを変える、請求項１８に記載の船舶の漂流を制御するための可変ジオメトリアンカー。